(57)【要約】      （修正有）【課題】施工が容易な地下貯水槽を提供する。【解決手段】地下貯水槽１は、地下に埋設されて水を貯留可能に構成された地下貯水槽１であって、複数の滞水材を組み合わせてなる滞水材の集合体２と、この滞水材の集合体２に水を供給する水供給手段４と、滞水材の集合体２に貯留された水を排出する水排出手段５と、滞水材の集合体２の底面、側面を覆うシート３と、滞水材の集合体２の天井面全体を覆う遮水性又は透水性の天井シート７とを備えているものである。【選択図】図１
2010013849.tif 000002
【特許請求の範囲】
【請求項１】
地下に埋設されて水を貯留可能に構成された地下貯水槽であって、
複数の滞水材を組み合わせてなる滞水材の集合体と、
この滞水材の集合体に水を供給する水供給手段と、
前記滞水材の集合体に貯留された水を排出する水排出手段と、
前記滞水材の集合体の底面及び側面を覆うシートと、
前記滞水材の集合体の天井面を覆う遮水性又は透水性の天井シートとを備えている
ことを特徴とする地下貯水槽。
【請求項２】
滞水材の集合体は、平面視、約９０°のコーナー部を少なくとも一つ有し、
このコーナー部は、前記滞水材の集合体の第１の側面と前記滞水材の集合体の第２の側面とで形成される部位であり、
前記滞水材の集合体の第１の側面と前記滞水材の集合体の第２の側面とは、同じ高さであり、
シートは、前記滞水材の集合体の底面を覆うシート底面と、このシート底面より同じ高さで起立した少なくとも、前記滞水材の集合体の第１の側面を覆うシート第１の側面と、前記シート底面より同じ高さで起立した少なくとも、前記滞水材の集合体の第２の側面を覆うシート第２の側面とを有し、
隣接する前記シート第１の側面の端部と前記シート第２の側面の端部とを重ね合わせて三角形状のシート第１の三角部が形成され、
前記シート第１の側面の端部、前記シート第２の側面の端部、前記シート第１の三角部の端部は、それぞれ前記滞水材の集合体の天井面の縁部を乗り越えて折り曲げられ、折り曲がられた前記シートの天井部位と前記滞水材の集合体の天井面全体を天井シートで覆われている
ことを特徴とする請求項１記載の地下貯水槽。
【請求項３】
滞水材の集合体は、平面視、２７０°のコーナー部を少なくとも一つ有し、
このコーナー部は、前記滞水材の集合体の第１の側面と前記滞水材の集合体の第２の側面とで形成される部位であり、
前記滞水材の集合体の第１の側面と前記滞水材の集合体の第２の側面とは、同じ高さｈであり、
シートは、展開状態時、前記滞水材の集合体の底面を覆うシート底面より幅Ｈ（Ｈ＞ｈ）で張り出すと共に、前記コーナー部に沿うものであり、
前記シートの展開状態時、前記シート底面の２７０°の前記コーナー部に対応する部位から前記２７０°を二分する外方に向かう延長線上に前記シートの切断部が位置し、
前記シートは、前記滞水材の集合体の底面を覆うシート底面と、このシート底面より同じ高さで起立した少なくとも、前記滞水材の集合体の第１の側面の一部を覆うシート第１の側面と、前記シート底面より同じ高さで起立した少なくとも、前記滞水材の集合体の第２の側面の一部を覆うシート第２の側面とを有し、
前記シート第１の側面と前記シート第２の側面とで覆いきれず、露出した前記コーナー部を覆うと共に、前記シート第１の側面、前記シート第２の側面、前記シート底面に重ねて接合された補助シートを備え、
前記シート第１の側面の端部、前記シート第２の側面の端部、前記補助シートの端部は、それぞれ前記滞水材の集合体の天井面の縁部を乗り越えて折り曲げられ、折り曲がられた前記シートの天井部位と前記滞水材の集合体の天井面全体を遮水性又は透水性の天井シートで覆われている
ことを特徴とする請求項１記載の地下貯水槽。
【請求項４】
地下に埋設されて水を貯留可能に構成された地下貯水槽であって、
複数の滞水材を組み合わせてなる略直方体形状の滞水材の集合体と、
この滞水材の集合体に水を供給する水供給手段と、
前記滞水材の集合体に貯留された水を排出する水排出手段と、
前記滞水材の集合体の底面の全部、側面の全部及び天井面の一部を覆うシートとを有し、
このシートは、矩形形状のシート底面と、このシート底面より同じ高さで起立したシート第１の側面、シート第２の側面、シート第３の側面及びシート第４の側面とを有し、
隣接する前記シート第１の側面の端部と前記シート第２の側面の端部とを重ね合わせて三角形状のシート第１の三角部が形成され、
隣接する前記シート第２の側面の端部と前記シート第３の側面の端部とを重ね合わせて三角形状のシート第２の三角部が形成され、
隣接するシート第３の側面の端部と前記シート第４の側面の端部とを重ね合わせて三角形状のシート第３の三角部が形成され、
隣接する前記シート第４の側面の端部と前記シート第１の側面の端部とを重ね合わせて三角形状のシート第４の三角部が形成され、
前記シート第１の側面の端部、前記シート第２の側面の端部、前記シート第３の側面の端部、前記シート第４の側面の端部、前記シート第１の三角部の端部、前記シート第２の三角部の端部、前記シート第３の三角部の端部及び前記シート第４の三角部の端部は、それぞれ前記滞水材の集合体の天井面の縁部を乗り越えて折り曲げられ、
折り曲がられた前記シートの天井部位と前記滞水材の集合体の天井面全体を遮水性又は透水性の天井シートで覆われている
ことを特徴とする地下貯水槽。
【請求項５】
滞水材は、平面視、正方形又は長方形で、前記滞水材の底面の周縁は、該周縁の略全体に亘って平坦面の立ち上がり壁を有し、
シートは、前記滞水材の前記立ち上がり壁の平坦面に当接する
ことを特徴とする請求項１又は４記載の地下貯水槽。
【請求項６】
滞水材は、プラスチックで形成され、平面視、正方形又は長方形の第1の滞水材と、この第1の滞水材を大きさが１／２になるように前記第1の滞水材を切断して形成された第２の滞水材とを有し、  
前記第1の滞水材の底面の周縁は、該周縁の略全体に亘って平坦面の立ち上がり壁を有し、
前記滞水材の集合体は、外周に前記第２の滞水材の切断面が対向しない位置であって、且つ、前記第1の滞水材の立ち上がり壁又は前記第２の滞水材の立ち上がり壁が位置するように構成し、
シートは、前記第２の滞水材の切断面に当接せず、前記第1の滞水材の前記立ち上がり壁の平坦面又は前記第２の滞水材の立ち上がり壁の平坦面に当接する
ことを特徴とする請求項１又は４記載の地下貯水槽。
【請求項７】
滞水材は、プラスチックで形成され、平面視、正方形又は長方形で、
前記滞水材は、上方に向かって凸となる薄肉の凸部を有し、前記薄肉の凸部の裏面は凹部が形成され、
前記滞水材は、運搬に便利なように、前記滞水材を複数枚積層可能で、下に位置する前記滞水材の前記凸部は、上に位置する前記滞水材の前記凹部内に没するようにしたものであり、
前記滞水材の底面の周縁は、該周縁の略全体に亘って平坦面の立ち上がり壁を有し、前記立ち上がり壁の中途に手の指が入る手掛け用のスペースが設けられ、
シートは、前記滞水材の前記立ち上がり壁の平坦面に当接する
ことを特徴とする請求項１又は４記載の地下貯水槽。
【請求項８】
滞水材は、プラスチックで形成され、平面視、正方形又は長方形で、
上方に向かって凸となる薄肉の第1の凸部を有し、前記薄肉の第1の凸部の裏面は凹部が形成され、前記薄肉の第1の凸部が前記滞水材の周縁部の一辺に略平行に形成された第1の凸状部と、
この第1の凸状部に間隔を有して並設し、上方に向かって凸となる薄肉の第２の凸部を有し、前記薄肉の第２の凸部の裏面は凹部が形成され、前記薄肉の第２の凸部が前記滞水材の周縁部の一辺に略平行に形成された第２の凸状部と、
この第２の凸状部に間隔を有して並設し、上方に向かって凸となる薄肉の第３の凸部を有し、前記薄肉の第３の凸部の裏面は凹部が形成され、前記薄肉の第３の凸部が前記滞水材の周縁部の一辺に略平行に形成された第３の凸状部と、
この第３の凸状部に間隔を有して並設し、上方に向かって凸となる薄肉の第４の凸部を有し、前記薄肉の第４の凸部の裏面は凹部が形成され、前記薄肉の第４の凸部が前記滞水材の周縁部の一辺に略平行に形成された第４の凸状部と、
を備えていることを特徴とする請求項１又は４記載の地下貯水槽。
【発明の詳細な説明】
【技術分野】
【０００１】
本発明は、地下貯水槽に係り、特に、施工が容易な地下貯水槽に関する。
【０００２】
従来、地盤を掘り下げて、内部に雨水を貯留するコンクリート製の貯水槽を形成した地下貯水槽がある。
【発明の開示】
【発明が解決しようとする課題】
【０００３】
しかしながら、上記の地下貯水槽にあっては、施工が大掛かりになるという問題点があった。
【０００４】
本発明は、上記の問題点を除去するようにした地下貯水槽を提供することを目的とする。
【課題を解決するための手段】
【０００５】
本発明の地下貯水槽は、地下に埋設されて水を貯留可能に構成された地下貯水槽であって、複数の滞水材を組み合わせてなる滞水材の集合体と、この滞水材の集合体に水を供給する水供給手段と、前記滞水材の集合体に貯留された水を排出する水排出手段と、前記滞水材の集合体の底面及び側面を覆うシートと、前記滞水材の集合体の天井面を覆う遮水性又は透水性の天井シートとを備えているものである。
【０００６】
また、請求項２記載の地下貯水槽は、請求項１記載の地下貯水槽において、滞水材の集合体は、平面視、約９０°のコーナー部を少なくとも一つ有し、このコーナー部は、前記滞水材の集合体の第１の側面と前記滞水材の集合体の第２の側面とで形成される部位であり、前記滞水材の集合体の第１の側面と前記滞水材の集合体の第２の側面とは、同じ高さであり、シートは、前記滞水材の集合体の底面を覆うシート底面と、このシート底面より同じ高さで起立した少なくとも、前記滞水材の集合体の第１の側面を覆うシート第１の側面と、前記シート底面より同じ高さで起立した少なくとも、前記滞水材の集合体の第２の側面を覆うシート第２の側面とを有し、隣接する前記シート第１の側面の端部と前記シート第２の側面の端部とを重ね合わせて三角形状のシート第１の三角部が形成され、前記シート第１の側面の端部、前記シート第２の側面の端部、前記シート第１の三角部の端部は、それぞれ前記滞水材の集合体の天井面の縁部を乗り越えて折り曲げられ、折り曲がられた前記シートの天井部位と前記滞水材の集合体の天井面全体を天井シートで覆われているものである。
【０００７】
また、請求項３記載の地下貯水槽は、請求項１記載の地下貯水槽において、滞水材の集合体は、平面視、２７０°のコーナー部を少なくとも一つ有し、このコーナー部は、前記滞水材の集合体の第１の側面と前記滞水材の集合体の第２の側面とで形成される部位であり、前記滞水材の集合体の第１の側面と前記滞水材の集合体の第２の側面とは、同じ高さｈであり、シートは、展開状態時、前記滞水材の集合体の底面を覆うシート底面より幅Ｈ（Ｈ＞ｈ）で張り出すと共に、前記コーナー部に沿うものであり、前記シートの展開状態時、前記シート底面の２７０°の前記コーナー部に対応する部位から前記２７０°を二分する外方に向かう延長線上に前記シートの切断部が位置し、前記シートは、前記滞水材の集合体の底面を覆うシート底面と、このシート底面より同じ高さで起立した少なくとも、前記滞水材の集合体の第１の側面の一部を覆うシート第１の側面と、前記シート底面より同じ高さで起立した少なくとも、前記滞水材の集合体の第２の側面の一部を覆うシート第２の側面とを有し、前記シート第１の側面と前記シート第２の側面とで覆いきれず、露出した前記コーナー部を覆うと共に、前記シート第１の側面、前記シート第２の側面、前記シート底面に重ねて接合された補助シートを備え、前記シート第１の側面の端部、前記シート第２の側面の端部、前記補助シートの端部は、それぞれ前記滞水材の集合体の天井面の縁部を乗り越えて折り曲げられ、折り曲がられた前記シートの天井部位と前記滞水材の集合体の天井面全体を遮水性又は透水性の天井シートで覆われているものである。
【０００８】
また、請求項４記載の地下貯水槽は、地下に埋設されて水を貯留可能に構成された地下貯水槽であって、複数の滞水材を組み合わせてなる略直方体形状の滞水材の集合体と、この滞水材の集合体に水を供給する水供給手段と、前記滞水材の集合体に貯留された水を排出する水排出手段と、前記滞水材の集合体の底面の全部、側面の全部及び天井面の一部を覆うシートとを有し、このシートは、矩形形状のシート底面と、このシート底面より同じ高さで起立したシート第１の側面、シート第２の側面、シート第３の側面及びシート第４の側面とを有し、隣接する前記シート第１の側面の端部と前記シート第２の側面の端部とを重ね合わせて三角形状のシート第１の三角部が形成され、隣接する前記シート第２の側面の端部と前記シート第３の側面の端部とを重ね合わせて三角形状のシート第２の三角部が形成され、隣接するシート第３の側面の端部と前記シート第４の側面の端部とを重ね合わせて三角形状のシート第３の三角部が形成され、隣接する前記シート第４の側面の端部と前記シート第１の側面の端部とを重ね合わせて三角形状のシート第４の三角部が形成され、前記シート第１の側面の端部、前記シート第２の側面の端部、前記シート第３の側面の端部、前記シート第４の側面の端部、前記シート第１の三角部の端部、前記シート第２の三角部の端部、前記シート第３の三角部の端部及び前記シート第４の三角部の端部は、それぞれ前記滞水材の集合体の天井面の縁部を乗り越えて折り曲げられ、折り曲がられた前記シートの天井部位と前記滞水材の集合体の天井面全体を遮水性又は透水性の天井シートで覆われているものである。
【０００９】
また、請求項５記載の地下貯水槽は、請求項１又は４記載の地下貯水槽において、滞水材は、平面視、正方形又は長方形で、前記滞水材の底面の周縁は、該周縁の略全体に亘って平坦面の立ち上がり壁を有し、シートは、前記滞水材の前記立ち上がり壁の平坦面に当接するものである。
【００１０】
また、請求項６記載の地下貯水槽は、請求項１又は４記載の地下貯水槽において、滞水材は、プラスチックで形成され、平面視、正方形又は長方形の第1の滞水材と、この第1の滞水材を大きさが１／２になるように前記第1の滞水材を切断して形成された第２の滞水材とを有し、前記第1の滞水材の底面の周縁は、該周縁の略全体に亘って平坦面の立ち上がり壁を有し、前記滞水材の集合体は、外周に前記第２の滞水材の切断面が対向しない位置であって、且つ、前記第1の滞水材の立ち上がり壁又は前記第２の滞水材の立ち上がり壁が位置するように構成し、シートは、前記第２の滞水材の切断面に当接せず、前記第1の滞水材の前記立ち上がり壁の平坦面又は前記第２の滞水材の立ち上がり壁の平坦面に当接するものである。
【００１１】
また、請求項７記載の地下貯水槽は、請求項１又は４記載の地下貯水槽において、滞水材は、プラスチックで形成され、平面視、正方形又は長方形で、前記滞水材は、上方に向かって凸となる薄肉の凸部を有し、前記薄肉の凸部の裏面は凹部が形成され、前記滞水材は、運搬に便利なように、前記滞水材を複数枚積層可能で、下に位置する前記滞水材の前記凸部は、上に位置する前記滞水材の前記凹部内に没するようにしたものであり、前記滞水材の底面の周縁は、該周縁の略全体に亘って平坦面の立ち上がり壁を有し、前記立ち上がり壁の中途に手の指が入る手掛け用のスペースが設けられ、シートは、前記滞水材の前記立ち上がり壁の平坦面に当接するものである。
【００１２】
また、請求項８記載の地下貯水槽は、請求項１又は４記載の地下貯水槽において、滞水材は、プラスチックで形成され、平面視、正方形又は長方形で、上方に向かって凸となる薄肉の第1の凸部を有し、前記薄肉の第1の凸部の裏面は凹部が形成され、前記薄肉の第1の凸部が前記滞水材の周縁部の一辺に略平行に形成された第1の凸状部と、この第1の凸状部に間隔を有して並設し、上方に向かって凸となる薄肉の第２の凸部を有し、前記薄肉の第２の凸部の裏面は凹部が形成され、前記薄肉の第２の凸部が前記滞水材の周縁部の一辺に略平行に形成された第２の凸状部と、この第２の凸状部に間隔を有して並設し、上方に向かって凸となる薄肉の第３の凸部を有し、前記薄肉の第３の凸部の裏面は凹部が形成され、前記薄肉の第３の凸部が前記滞水材の周縁部の一辺に略平行に形成された第３の凸状部と、この第３の凸状部に間隔を有して並設し、上方に向かって凸となる薄肉の第４の凸部を有し、前記薄肉の第４の凸部の裏面は凹部が形成され、前記薄肉の第４の凸部が前記滞水材の周縁部の一辺に略平行に形成された第４の凸状部とを備えているものである。
【発明の効果】
【００１３】
請求項１記載の地下貯水槽によれば、滞水材の集合体の底面、側面をシートで覆い、前記滞水材の集合体の天井面を天井シートで覆うため、施工が容易な地下貯水槽を得ることができる。
【００１４】
また、請求項４記載の地下貯水槽によれば、滞水材の集合体の底面、側面及び天井面の一部をシートで覆い、前記滞水材の集合体の天井面を天井シートで覆うため、防水施工が簡単な地下貯水槽を得ることができ、しかも、シート第１の側部の端部、シート第２の側部の端部、シート第３の側部の端部、シート第４の側部の端部、第１の三角部の端部、第２の三角部の端部、第３の三角部の端部、第４の三角部の端部は、それぞれ滞水材の集合体の天井面の縁部を乗り越えて折り曲げられ、折り曲がられたシートの天井部位と前記滞水材の集合体の天井面を天井シートで覆うため、シートと天井シートとの接合面が滞水材の集合体の天井面より下位にないため、シートと天井シートとの接合面に不良が生じても、水の貯留量への影響がない等の効果を有する。
【００１５】
また、請求項５記載の地下貯水槽によれば、前述の請求項1又は４記載の発明の効果に加え、シートは、滞水材の立ち上がり壁の平坦面に当接するため、シートの破損を防ぎ、引いては貯留された水の漏れをも防ぐことができる。
【００１６】
また、請求項６記載の地下貯水槽によれば、前述の請求項1又は４記載の発明の効果に加え、滞水材の集合体は、プラスチックで形成され、平面視、正方形又は長方形の第1の滞水材と、この第1の滞水材を大きさが１／２になるように前記第1の滞水材を切断した第２の滞水材とを有し、第1の滞水材と第２の滞水材とを組み合わせることにより略直方体形状に形成することができ、つまり、滞水材のコストの低減化を図ることができ、しかも、滞水材の集合体は、外周に第２の滞水材の切断面が位置せず、前記第1の滞水材の立ち上がり壁又は前記第２の滞水材の立ち上がり壁が位置するように構成し、シートは、前記第２の滞水材の切断面に当接せず、前記第1の滞水材の前記立ち上がり壁の平坦面又は前記第２の滞水材の立ち上がり壁の平坦面に当接するため、シートの破損を防ぎ、引いては貯留された水の漏れをも防ぐことができる。
【００１７】
また、請求項７記載の地下貯水槽によれば、前述の請求項1又は４記載の発明の効果に加え、前記滞水材は、上方に向かって凸となる薄肉の凸部を有し、前記薄肉の凸部の裏面は凹部が形成され、前記滞水材は、運搬に便利なように、前記滞水材を複数枚積層可能で、下に位置する前記滞水材の前記凸部は、上に位置する前記滞水材の前記凹部内に没するようにしたものであるため、下に位置する滞水材の凸部は、上に位置する滞水材の凹部内に没するようにして滞水材を積層して運搬すれば、嵩張らず、多量の滞水材を運搬でき、また、滞水材の集合体にあっては、滞水材の凹部は水の貯留部となり、しかも、滞水材の底部の周縁は、該周縁の略全体に亘って立ち上がり壁を有し、前記立ち上がり壁の中途に手の指が入る手掛け用のスペースが設けられているため、手掛け用のスペースを利用して、積層された滞水材を容易に運搬したり、また、積層された滞水材から1個の滞水材を容易に分離することができ、更に、シートは、滞水材の立ち上がり壁の平坦面に当接するため、シートの破損を防ぎ、引いては貯留された水の漏れをも防ぐことができる。
【００１８】
また、請求項８記載の地下貯水槽によれば、前述の請求項1又は４記載の発明の効果に加え、滞水材は、搬送する際、嵩張らず運搬でき、複数組み合わせて滞水材の集合体を構成しても、滞水材を９０°交互に方向を変えて積層すれば、貯留容量をを充分確保することもできる。
【発明を実施するための最良の形態】
【００１９】
本発明の地下貯水槽の一実施例を図面を参照して説明する。
図１において、１は地下に埋設されて水（水は、例えば、雨水）を貯留可能に構成された地下貯水槽で、水は、複数の滞水材を組み合わせてなる略直方体形状の滞水材の集合体２と、この滞水材の集合体２の周囲を覆うシート３とにより構成された滞水材の集合体２の内部に貯留される。
なお、地下貯水槽１が水（水は、例えば、雨水）を継続的に貯留可能に構成する場合にあっては、シート３は、例えば、ゴムシート、塩ビシート等の遮水シートであり、また、地下貯水槽１が水（水は、例えば、雨水）を一時的に貯留可能に構成する場合にあっては、シート３は、透水性のシートとなる。
【００２０】
４は、滞水材の集合体２に水を供給する水供給手段であり、水供給手段４は、例えば、地上の雨水を集めてパイプにより滞水材の集合体２内に供給するようになっている。
５は、滞水材の集合体２に貯留された水を排出する水排出手段であり、水排出手段５は、パイプを介して自然落下により外部に排出しても良いし、また、ポンプ（図示せず）を介して外部に排出しても良い。
なお、滞水材の集合体２は、地盤を掘り下げて形成された凹所６（図１１参照）内に、例えば、一枚のシート３を介して設置される。
また、７は、滞水材の集合体２の天井面全体を覆う遮水性又は透水性の天井シートである。
従って、上述した地下貯水槽１によれば、滞水材の集合体２の底面、側面をシート３で覆い、滞水材の集合体２の天井面全体を天井シート７で覆って地下貯水槽１を形成するため、施工が容易な地下貯水槽１を得ることができる。
なお、地表の雨水は、図示しない手段により水供給手段４に集積され、水供給手段４を介して、滞水材の集合体２内に貯留され、滞水材の集合体２内の水は、水排出手段５を介して外部に排出されるようになっている。
【００２１】
シート３について、詳述すれば、図１０、図１２及び図１３に示すように、矩形形状のシート底面３０と、このシート底面３０より同じ高さで起立したシート第１の側面３１、シート第２の側面３２、シート第３の側面（図示せず）、シート第４の側面３４とを有し、起立した状態において、シート第３の側面（図示せず）は、滞水材の集合体２を介してシート第１の側面３１に対向する位置にある。
また、図１３及び図１４に示すように、隣接するシート第１の側面３１の端部とシート第２の側面３２の端部とを重ね合わせて三角形状のシート第１の三角部ＴＲが形成され、隣接するシート第２の側面３２の端部とシート第３の側面（図示せず）の端部とを重ね合わせて三角形状のシート第２の三角部（図示せず）が形成され、隣接するシート第３の側面（図示せず）の端部とシート第４の側面３４の端部とを重ね合わせて三角形状のシート第３の三角部（図示せず）が形成され、隣接するシート第４の側面３４の端部とシート第１の側面３１の端部とを重ね合わせて三角形状のシート第４の三角部（図示せず）が形成される。
なお、図示しないシート第２の三角部、シート第３の三角部及びシート第４の三角部は、図１３に記載した第１の三角部ＴＲと同様のものである。
そして、図１５及び図１６に示すように、シート第１の側面３１の端部、シート第２の側面３２の端部、シート第３の側面の端部（図示せず）、シート第４の側面３４の端部、シート第１の三角部ＴＲの端部、シート第２の三角部の端部（図示せず）、シート第３の三角部の端部（図示せず）、シート第４の三角部（図示せず）の端部は、それぞれ滞水材の集合体２の天井面の縁部（縁部のラインＬ）を乗り越えて折り曲げられ、折り曲がられたシート３の天井部位と滞水材の集合体２の天井面全体を天井シート７で覆うようにし、接着剤等により接合している。
その結果、シート３と天井シート７との接合面が滞水材の集合体２の天井面より下位にないため、シート３と天井シート７との接合面に不良が生じても、水の貯留量への影響がない効果が得られる。
【００２２】
また、滞水材の集合体２を構成する滞水材２０（図２参照）は、平面視、正方形（図３参照）（又は長方形）で、滞水材２０の底面の周縁は、該周縁の略全体に亘って平坦面の立ち上がり壁２０ａを有し（図２参照）、シート３は、滞水材２０の立ち上がり壁２０ａの平坦面に当接するようにしている。
これは、シート３の破損を防ぎ、引いては貯留された水の漏れをも防ぐためである。
【００２３】
滞水材２０を詳述すれば、滞水材２０は、プラスチックで形成され、平面視、正方形（又は長方形）の第1の滞水材２１と、この第1の滞水材２１を大きさが１／２になるように第1の滞水材２１を切断して形成された第２の滞水材２２とを有している（図２乃至図５参照）。 切断した面をＳで示す。 
第1の滞水材２１の底面の周縁は、該周縁の略全体に亘って平坦面の立ち上がり壁２１ａを有し、滞水材の集合体２は、滞水材の集合体２の外周に第２の滞水材２２の切断面Ｓが対向しない位置であって、且つ、第1の滞水材２１の立ち上がり壁２１ａ又は第２の滞水材２２の立ち上がり壁２２ａが位置するように構成し（図１２参照）、シート３は、第２の滞水材２２の切断面Ｓに当接せず、第1の滞水材２１の立ち上がり壁２１ａの平坦面又は第２の滞水材２２の立ち上がり壁２２ａの平坦面に当接するようにしている。
【００２４】
また、滞水材２０は、図８に示すように、上方に向かって凸となる薄肉の凸部２０ｂを有し、薄肉の凸部２０ｂの裏面は凹部２０ｃが形成されている。滞水材２０は９０°方向を代えて交互に積み重ねて、滞水材の集合体２を構成する。２０ｅは、凸部２０ｂに設けた水を下に位置する滞水材２０との水の出入りを許容する穴である。
なお、滞水材の集合体２を構成する前においては、滞水材２０は、図６及び図７に示すように、運搬に便利なように、滞水材２０を同じ方向に複数枚積層する。つまり、下に位置する滞水材２０の凸部２０ｂは、上に位置する滞水材２０の凹部２０ｃ内に没するようにして、嵩張らず、多量の滞水材２０を運搬できるようにしている。
また、滞水材２０の底面の周縁は、該周縁の略全体に亘って平坦面の立ち上がり壁２０ａを有し、立ち上がり壁２０ａの中途に手の指が入る手掛け用のスペース２０ｄが設けられている。この手掛け用のスペース２０ｄを利用して、積層された滞水材２０を容易に運搬したり、また、積層された滞水材２０から1個の滞水材２０を容易に分離することができるようにしている。
【００２５】
滞水材２０を更に詳述すれば、滞水材２０には、図６及び図７に示すように、上方に向かって凸となる薄肉の第1の凸部２０ｂを有し、薄肉の第1の凸部２０ｂの裏面は凹部２０ｃが形成され、薄肉の第1の凸部２０ｂが滞水材の周縁部の一辺に略平行に形成された第1の凸状部２０１と、この第1の凸状部２０１に間隔Ｔを有して並設し、上方に向かって凸となる薄肉の第２の凸部２０ｂを有し、薄肉の第２の凸部２０ｂの裏面は凹部２０ｃが形成され、薄肉の第２の凸部２０ｂが滞水材２０の周縁部の一辺ＡＢに略平行に形成された第２の凸状部２０２と、この第２の凸状部２０２に間隔Ｔを有して並設し、上方に向かって凸となる薄肉の第３の凸部２０ｂを有し、薄肉の第３の凸部２０ｂの裏面は凹部２０ｃが形成され、薄肉の第３の凸部２０ｂが滞水材２０の周縁部の一辺ＡＢに略平行に形成された第３の凸状部２０３と、この第３の凸状部２０３に間隔Ｔを有して並設し、上方に向かって凸となる薄肉の第４の凸部２０ｂを有し、薄肉の第４の凸部２０ｂの裏面は凹部２０ｃが形成され、薄肉の第４の凸部２０ｂが滞水材２０の周縁部の一辺ＡＢに略平行に形成された第４の凸状部２０４とが設けられている。
この滞水材２０によれば、搬送する際、嵩張らず運搬でき、複数の滞水材２０を組み合わせ、例えば、図８に示すように、滞水材２０を９０°交互に方向を変えて積層すれば、貯留容量を充分確保することもできる。
【００２６】
なお、上述の実施例においては、滞水材の集合体２を略直方体形状として説明したが、本願発明にあっては、これに限らず、滞水材の集合体２は、平面視、Ｌ字形状等種々あり、滞水材の集合体２が、平面視、約９０°のコーナー部Ｃ（図１０参照）を少なくとも一つ有している場合にも、同様に適用することができる。
即ち、このコーナー部Ｃは、滞水材の集合体２の第１の側面２Ａと滞水材の集合体２の第２の側面２Ｂとで形成される部位となっている（図１２参照）。そして、滞水材の集合体２の第１の側面２Ａと滞水材の集合体２の第２の側面２Ｂとは、同じ高さとなっている。図１２に示す２０’は、滞水材の集合体２の天井面を平坦にするための部材である。
また、シート３は、滞水材の集合体２の底面を覆うシート底面３０と、このシート底面３０より同じ高さで起立した少なくとも、滞水材の集合体２の第１の側面２Ａを覆うシート第１の側面３１と、シート底面３０より同じ高さで起立した少なくとも、滞水材の集合体２の第２の側面２Ｂを覆うシート第２の側面２Ｂとを有している（図１３及び図１４参照）。
また、隣接するシート第１の側面３１の端部とシート第２の側面３２の端部とを重ね合わせて三角形状のシート第１の三角部ＴＲが形成され、シート第１の側面３１の端部、シート第２の側面３２の端部、シート第１の三角部ＴＲの端部は、それぞれ滞水材の集合体２の天井面の縁部を乗り越えて折り曲げられ（図１５参照）、折り曲がられたシート３の天井部位と滞水材の集合体２の天井面全体を天井シート７で覆い、シート３と天井シート７とは、接着剤等により接合されるようになっている（図１６参照）。
【００２７】
また、上述の実施例においては、平面視、約９０°のコーナー部Ｃの適用例について説明したが、本願発明にあっては、これに限らず、滞水材の集合体２は、平面視、Ｌ字形状等種々あり、滞水材の集合体２が、平面視、２７０°のコーナー部Ｃ’を少なくとも一つ有している場合にも、同様に適用することができる（図１７乃至図２２参照）。
即ち、このコーナー部Ｃ’は、滞水材の集合体２の第１の側面２Ａ’と滞水材の集合体２の第２の側面２Ｂ’とで形成される部位となっている（図１７参照）。そして、滞水材の集合体２の第１の側面２Ａ’と滞水材の集合体２の第２の側面２Ｂ’とは、同じ高さｈであり（図１９参照）、シート３は、展開状態時（図１７参照）、滞水材の集合体２の底面を覆うシート底面（図示せず）より幅Ｈ（Ｈ＞ｈ）で張り出すと共に、コーナー部Ｃ’に沿うものであり、シート３の展開状態時、シート底面（図示せず）の２７０°のコーナー部Ｃ’に対応する部位から２７０°を二分する外方に向かう延長線上にシート３の切断部３Ｓが位置している。
そして、上述したシート３は、滞水材の集合体２の底面を覆うシート底面（図示せず）と、このシート底面（図示せず）より同じ高さＨで起立した少なくとも、滞水材の集合体２の第１の側面２Ａ’の一部を覆うシート第１の側面３１’と、シート底面（図示せず）より同じ高さＨで起立した少なくとも、滞水材の集合体２の第２の側面２Ｂ’の一部を覆うシート第２の側面３２’とを有している。
また、シート第１の側面３１’とシート第２の側面３２’とで覆いきれず、露出したコーナー部C'（図１９参照）は、補助シート３’で覆われ、補助シート３’は、シート第１の側面３１’、シート第２の側面３２’、シート底面（図示せず）に重ねて、接着剤等により接合される。
また、シート第１の側面３１’の端部、シート第２の側面３２’の端部、補助シート３’の端部は、それぞれ滞水材の集合体２の天井面の縁部（縁部のラインＬ）を乗り越えて折り曲げられ（図２１参照）、折り曲がられたシート３の天井部位と滞水材の集合体２の天井面全体を遮水性又は透水性の天井シート７で覆われ、接合されるようになっている（図２２参照）。
なお、補助シート３’は、シート３と同様に、例えば、ゴムシート、塩ビシート等の遮水シートの他、地下貯水槽１が水（例えば、雨水）を一時的に貯留可能に構成する場合にあっては、補助シート３’は、透水性のシートである。
【図面の簡単な説明】
【００２８】
【図１】図１は、本発明の一実施例の地下貯水槽の概略的断面図である。
【図２】図２は、図１の滞水材の集合体を構成する滞水材の概略的斜視図である。
【図３】図３は、図２の第１の滞水材の概略的平面図である。
【図４】図４は、図３の第１の滞水材の概略的正面図である。
【図５】図５は、図３の第１の滞水材の概略的右側面図である。
【図６】図６は、図２の第１の滞水材の運搬形態を示す概略的斜視図である。
【図７】図７は、図６の概略的断面図である。
【図８】図８は、図１の滞水材の集合体の形成過程の概略的図である。
【図９】図９は、図１の滞水材の集合体の周囲をシートで覆う過程を示した概略的図で、シート上に滞水材の集合体が置かれた状態を示している。
【図１０】図１０は、シート上に滞水材の集合体が置かれた後、シートで滞水材の集合体の側面を覆う前の状態の概略的断面図である。
【図１１】図１１は、シートで滞水材の集合体の側面を覆った後、滞水材の集合体の天井面を覆う前の状態の概略的断面図である。
【図１２】図１２は、シートで滞水材の集合体の側面を覆う前の状態の概略的斜視図である。
【図１３】図１３は、隣接する第１の側部と第２の側部の端部に重ね合わされて三角形状の第１の三角部が形成された状態の概略的斜視図である。
【図１４】図１４は、隣接する第１の側部と第２の側部の端部に重ね合わされて三角形状の第１の三角部が形成された後、第１の三角部の端部が滞水材の集合体の天井面の縁部を乗り越えて折り曲げられる前の状態の概略的斜視図である。
【図１５】図１５は、第１の三角部の端部が滞水材の集合体の天井面の縁部を乗り越えて折り曲げられ、滞水材の集合体の天井面を覆う前の状態の概略的斜視図である。
【図１６】図１６は、滞水材の集合体の天井面がシートで覆われた状態の概略的斜視図である。
【図１７】図１７は、図１２乃至図１６記載のシートで覆う形態と異なる形態の他の実施例を示すもので、滞水材の集合体の２７０°のコーナー部の側面を覆う前の状態の概略的平面図である。
【図１８】図１８は、図１７の状態の概略的斜視図である。
【図１９】図１９は、図１８のシートを起立させた状態の概略的斜視図である。
【図２０】図２０は、図１９のシートで露出した部位を補助シートで接合した状態の概略的斜視図である。
【図２１】図２１は、滞水材の集合体の天井面を覆う前の状態の概略的斜視図である。
【図２２】図２２は、滞水材の集合体の天井面がシートで覆われた状態の概略的斜視図である。
【符号の説明】
【００２９】
１        地下貯水槽
２        滞水材の集合体
３        シート
４        水供給手段
５        水排出手段
７        天井シート
【図１】
2010013849.tif 000003
【図２】
2010013849.tif 000004
【図３】
2010013849.tif 000005
【図４】
2010013849.tif 000006
【図５】
2010013849.tif 000007
【図６】
2010013849.tif 000008
【図７】
2010013849.tif 000009
【図８】
2010013849.tif 000010
【図９】
2010013849.tif 000011
【図１０】
2010013849.tif 000012
【図１１】
2010013849.tif 000013
【図１２】
2010013849.tif 000014
【図１３】
2010013849.tif 000015
【図１４】
2010013849.tif 000016
【図１５】
2010013849.tif 000017
【図１６】
2010013849.tif 000018
【図１７】
2010013849.tif 000019
【図１８】
2010013849.tif 000020
【図１９】
2010013849.tif 000021
【図２０】
2010013849.tif 000022
【図２１】
2010013849.tif 000023
【図２２】
2010013849.tif 000024